(57)【要約】【課題】新規で性能良好な投射用ズームレンズの実現を課題とする。【解決手段】画像表示素子の表示面に表示された投射用画像を被投射面に投射して拡大表示させる画像表示装置の投射光学系を構成する投射用ズームレンズであって、拡大側から縮小側へ向かって順次、第１レンズ群Ｇ１ないし第６レンズ群Ｇ６を配した６レンズ群構成であり、第１レンズ群Ｇ１は負の屈折力を有し、第２レンズ群Ｇ２は負の屈折力を有し、第３レンズ群Ｇ３は正の屈折力を有し、第４レンズ群Ｇ４は正の屈折力を有し、第３レンズ群Ｇ３の焦点距離：ｆ３、第４レンズ群Ｇ４の焦点距離：ｆ４が、条件：（４）１．７＜ｆ３／ｆ４＜５．０を満足することを特徴とする。【選択図】図１
2015001610.tif 000002
【特許請求の範囲】
【請求項１】
画像表示素子の表示面に表示された投射用画像を被投射面に投射して拡大表示させる画像表示装置の投射光学系を構成する投射用ズームレンズであって、
拡大側から縮小側へ向かって順次、第１レンズ群ないし第６レンズ群を配した６レンズ群構成であり、
第１レンズ群は負の屈折力を有し、
第２レンズ群は負の屈折力を有し、
第３レンズ群は正の屈折力を有し、
第４レンズ群は正の屈折力を有し、
第３レンズ群の焦点距離：ｆ３、第４レンズ群の焦点距離：ｆ４が、条件：
（４）  １．７  ＜  ｆ３／ｆ４  ＜  ５．０    
を満足することを特徴とする投射用ズームレンズ。
【請求項２】
請求項１記載の投射用ズームレンズにおいて、
広角端から望遠端への変倍に際して、第１レンズ群が固定であることを特徴とする投射用ズームレンズ。
【請求項３】
請求項２記載の投射用ズームレンズにおいて、
画像表示素子の表示面から最も拡大側のレンズ面までの距離：ＯＡＬ、像高：Ｙ’が、条件：
（１）  ＯＡＬ／Ｙ’＜  １５．０  
を満足することを特徴とする投射用ズームレンズ。
【請求項４】
請求項１ないし３の任意の１に記載の投射用ズームレンズにおいて、
第１レンズ群の焦点距離：ｆ１、第２レンズ群の焦点距離：ｆ２が、条件：
（２）  ０．１  ＜  ｆ１／ｆ２  ＜  ０．８    
を満足することを特徴とする投射用ズームレンズ。
【請求項５】
請求項１ないし４の任意の１に記載の投射用ズームレンズにおいて、
広角端から望遠端への変倍に際しての第６レンズ群の移動量：Ｄ６と、第６レンズ群の焦点距離；ｆ６が、条件：  
（３）  ０．０  ＜  ｜Ｄ６／ｆ６｜  ＜  ０．２
を満足することを特徴とする投射用ズームレンズ。
【請求項６】
請求項１ないし５の任意の１に記載の投射用ズームレンズにおいて、
広角端から望遠端に変倍する際に、第３レンズ群と第４レンズ群が拡大側に移動することを特徴とする。
【請求項７】
請求項１ないし５の任意の１に記載の投射用ズームレンズにおいて、
広角端から望遠端への変倍に際しての、第３レンズ群の移動量：Ｄ３、第４レンズ群の移動量：Ｄ４が、条件：
（５）  ０．１  ＜  ｜Ｄ３／Ｄ４｜  ＜  ０．７
を満足することを特徴とする投射用ズームレンズ。  
【請求項８】
請求項１ないし６の任意の１に記載の投射用ズームレンズにおいて、  
第５レンズ群と第６レンズ群のうちの、すくなくとも１方が負の屈折力のレンズ群であることを特徴とする投射用ズームレンズ。
【請求項９】
請求項１ないし７の任意の１に記載の投射用ズームレンズにおいて、  
変倍比が１．９倍以上であることを特徴とする投射用ズームレンズ。
【請求項１０】
光源と、
投射されるべき投射用画像を表示面に表示する画像表示素子と、
前記光源から射出した光で、前記表示面を照明する照明光学系と、  
該照明光学系により照明され、前記投射用画像により変調された投射光束を入射され、被投射面に前記投射用画像の拡大画像を投射する投射光学系と、を備え、
投射光学系として、請求項１ないし８の任意の１に記載の投射用ズームレンズを用いることを特徴とする画像表示装置。
【発明の詳細な説明】
【技術分野】
【０００１】
この発明は、投射用ズームレンズおよび画像表示装置に関する。
【０００２】
画像表示装置はプロジェクタ装置として実施できる。
【背景技術】
【０００３】
装置前方のスクリーン上に拡大画像を投射するフロント投射型のプロジェクタ装置は、企業でのプレゼンテーション用や学校での教育用、家庭用に近年広く普及している。
【０００４】
拡大投射される投射用画像を「表示面」上に表示する画像表示素子は「ライトバルブ」とも呼ばれるが、液晶パネルを初めとして、種々のタイプのものが知られている。
【０００５】
近年、テキサスインスツルメント社製のデジタルマイクロミラーデバイス（ＤＭＤ）に代表される「微小ミラーデバイス」が、ライトバルブとして注目されている。
【０００６】
投射用ズームレンズは勿論、種々のライトバルブに適用可能であることが好ましい。
【０００７】
上記微小ミラーデバイスでは、表示面にアレイ配列されたマイクロミラーを選択的に傾斜させて画像の表示を行う。
【０００８】
制約条件は様々に存在するが、微小ミラーデバイスは、小型化や高輝度化に有利であり、近来、広く普及しつつある。
【０００９】
投射用ズームレンズは従来から、高変倍率化、広画角化、高性能化が追求されてきた。
【００１０】
「画像の投射に用いられる投射用レンズ」では、近来、結像光線として「斜光線」を用いるものが普及しつつある（特許文献１、２）。
【００１１】
一般の「カメラ用の撮影レンズ」では、レンズ系の光軸に対する回転対称な領域が撮影領域となるから、レンズ光軸を中心とする大きな撮影領域が可能である。
【００１２】
斜光線を結像光線とする投射用レンズでは、画像投射領域として利用できるのは「レンズ光軸を中心とする大きな領域」の一部である。
【００１３】
投射用ズームレンズの高変倍率化、高性能化と共に広画角化が追求される所以である。
【００１４】
投射用ズームレンズはまた、画像表示素子の表示面に表示された投射用画像の拡大像を表示するものである。
【００１５】
従って、歪曲収差や色収差を初めとする各種の収差が良好に補正されていないと、投射された拡大画像が良好なものにならない。  
投射用ズームレンズの高性能化が求められる所以である。
【発明の概要】
【発明が解決しようとする課題】
【００１６】
この発明は、新規で性能良好な投射用ズームレンズの実現を課題とする。
【課題を解決するための手段】
【００１７】
この発明の投射用ズームレンズは、画像表示素子の表示面に表示された投射用画像を被投射面に投射して拡大表示させる画像表示装置の投射光学系を構成する投射用ズームレンズであって、拡大側から縮小側へ向かって順次、第１レンズ群ないし第６レンズ群を配した６レンズ群構成であり、第１レンズ群は負の屈折力を有し、第２レンズ群は負の屈折力を有し、第３レンズ群は正の屈折力を有し、第４レンズ群は正の屈折力を有し、第３レンズ群の焦点距離：ｆ３、第４レンズ群の焦点距離：ｆ４が、条件：
（４）  １．７  ＜  ｆ３／ｆ４  ＜  ５．０    
を満足することを特徴とする。
【発明の効果】
【００１８】
この発明に依れば、新規で性能良好な投射用ズームレンズを実現できる。
【図面の簡単な説明】
【００１９】
【図１】実施例１の投射用ズームレンズの構成を示す断面図である。
【図２】実施例１の投射用ズームレンズの収差曲線図である。
【図３】実施例２の投射用ズームレンズの構成を示す断面図である。
【図４】実施例２の投射用ズームレンズの収差曲線図である。
【図５】実施例３の投射用ズームレンズの構成を示す断面図である。
【図６】実施例３の投射用ズームレンズの収差曲線図である。
【図７】実施例４の投射用ズームレンズの構成を示す断面図である。
【図８】実施例４の投射用ズームレンズの収差曲線図である。
【図９】実施例５の投射用ズームレンズの構成を示す断面図である。
【図１０】実施例５の投射用ズームレンズの収差曲線図である。
【図１１】実施例６の投射用ズームレンズの構成を示す断面図である。
【図１２】実施例６の投射用ズームレンズの収差曲線図である。
【図１３】実施例７の投射用ズームレンズの構成を示す断面図である。
【図１４】実施例７の投射用ズームレンズの収差曲線図である。
【図１５】実施例８の投射用ズームレンズの構成を示す断面図である。
【図１６】実施例８の投射用ズームレンズの収差曲線図である。
【図１７】画像表示装置としてのプロジェクタ装置の概略構成図である。
【発明を実施するための形態】
【００２０】
以下、発明を実施する形態を説明する。
【００２１】
この発明のズームレンズは、上記の如く「投射用ズームレンズ」である。  
この発明の投射用ズームレンズも、被投射面に画像を結像する投射用光束としては「斜光線の光束」が用いられる。
【００２２】
図１、図３、図５、図７、図９、図１１、図１３、図１５に、投射用ズームレンズの実施の形態を８例示す。
【００２３】
これらの実施の形態のズームレンズは、この順に、後述する具体的な実施例１ないし８に相当する。  
上記各図において、図の左方が「拡大側」、右方が「縮小側」である。繁雑を避けるために、これらの図において符号を共通化する。  
上記各図において、第１レンズ群、第２レンズ群、第３レンズ群、第４レンズ群、第５レンズ群、第６レンズ群をこの順序で、それぞれ符号Ｇ１ないしＧ６で示す。
【００２４】
即ち、上記各図に実施の形態を示す投射用ズームレンズは、拡大側から縮小側へ向かって第１レンズ群Ｇ１ないし第６レンズ群Ｇ６を配した６レンズ群構成である。
【００２５】
また、第３レンズ群Ｇ３以下に「開口絞り」が配置されている。
【００２６】
各レンズ群におけるレンズには、以下の符号を付する。
【００２７】
即ち、第ｉレンズ群において、拡大側から数えて第ｊ番目のレンズを符号「Ｌｉｊ」で表す。
【００２８】
さらに、上記各図において、符号ＣＧは「画像表示素子（ライトバルブ）のカバーガラス」を示す。  
これら実施の形態・実施例において、ライトバルブとしては「微小ミラーデバイスであるＤＭＤ」を想定しているが、勿論、ライトバルブがこれに限定される訳ではない。
【００２９】
上記各図の、上段の図は「広角端におけるレンズ群配置（広角と表示）」を示し、下段の図は「望遠端におけるレンズ群配置（望遠と表示）」を示す。
【００３０】
また、これ等の図における上段の図と下段の図の間に描かれた矢印は、広角端から望遠端への変倍の際の、第２レンズ群Ｇ２ないし第６レンズ群Ｇ６の変位の方向を示す。
【００３１】
これらの実施の形態において、第１レンズ群は「広角端から望遠端への変倍」に際して固定である。
【００３２】
上記各図に実施の形態を示す投射用ズームレンズにおいて、第１レンズ群Ｇ１と第２レンズ群Ｇ２とは共に「負の屈折力」を有する。
【００３３】
第３レンズ群Ｇ３と第４レンズ群Ｇ４は共に「正の屈折力」を有する。  
即ち、第１レンズ群Ｇ１ないし第４レンズ群Ｇ４の屈折力配分は「負・負・正・正」である。
【００３４】
以下において「負の屈折力を持つレンズ群」を「負群」とも言い、「正の屈折力を持つレンズ群」を「正群」とも言う。
【００３５】
第５レンズ群Ｇ５と第６レンズ群Ｇ６のうちの少なくとも一方は「負の屈折力」を持つことが好ましい。
【００３６】
第５、第６レンズ群の少なくとも１方に「負の屈折力」を持たせることは、変倍時のピントずれの補正と、画面全面での解像平坦性の均一化に有効である。  
このような条件を満足させるためには、負レンズ群先行型が好ましい。
【００３７】
この発明の投射用ズームレンズでも、第１レンズ群Ｇ１ないし第４レンズ群Ｇ４の屈折力分布を「負・負・正・正」として「負レンズ群を先行」させている。
【００３８】
負レンズ群先行とすることで、主光線高さをより低くすることができ、レンズ有効径を小さく出来、従って、投射用ズームレンズをコンパクトに実現可能である。
【００３９】
また、画像投射時の、第２レンズ群から第１レンズ群への「光束の跳上げ角」を小さく抑えることができる。
【００４０】
即ち、画像投射時には、ライトバルブ側からの投射光束（斜光線による結像光束）が、第４レンズ群Ｇ４側から第１レンズ群Ｇ１側へ導光される。
【００４１】
その際、第３レンズ群Ｇ３からの投射光束の発散角を、負の屈折力の第２レンズ群Ｇ２で無理なく拡大できる。
【００４２】
そして、第２レンズ群Ｇ２から第１レンズ群Ｇ１へ受け渡される投射光束の跳上げ角が小さく抑えられる。
【００４３】
従って、第１レンズ群Ｇ１からの射出する投射光束の発散角を無理なく大きく出来る。
【００４４】
また、製造時のレンズの偏心による性能劣化を抑制させる効果がある。
【００４５】
この発明の投射用ズームレンズは、第３レンズ群の焦点距離：ｆ３、第４レンズ群の焦点距離：ｆ４が、条件（４）を満足する。
【００４６】
条件（４）は「変倍の際の諸収差を最適にする」ための条件である。
【００４７】
条件（４）の下限を超えると、第３レンズ群と第４レンズ群との「屈折力のバランス」が崩れる。
【００４８】
その結果、第４レンズ群の屈折力が弱くなるか、第３レンズ群の屈折力強くなり、変倍時の諸収差が大きくなる。  
特に、軸上色収差と球面収差が大きく成りがちである。
【００４９】
条件（４）を満足することにより、変倍の際の収差補正を最適化でき、軸上色収差、球面収差を初めとする諸収差の残存を有効に回避できる。
【００５０】
この発明の投射用ズームレンズは、上述の構成に加えて以下の条件（１）ないし（３）及び（５）の１以上を満足させることにより、さらに良好な性能を実現できる。
【００５１】
（１）  ＯＡＬ／Ｙ’＜  １５．０  
（２）  ０．１  ＜  ｆ１／ｆ２  ＜  ０．８
（３）  ０．０  ＜  ｜Ｄ６／ｆ６｜  ＜  ０．２
（５）  ０．１  ＜  ｜Ｄ３／Ｄ４｜  ＜  ０．７
これらの条件（１）ないし（３）および（５）において、各パラメータの記号の意味は以下のとおりである。
【００５２】
「ＯＡＬ」は、画像表示素子の表示面から投射用ズームレンズの最も拡大側のレンズ面までの光軸上の距離であり、「Ｙ’」は像高である。
【００５３】
投射用ズームレンズにより、投射用画像が被投射面に拡大して表示されるとき、表示された「投射画像」と投射用画像とは共役関係になる。
【００５４】
この関係を逆に見ると、投射画像を物体と見ると投射用画像は像になる。このように投射用画像を像としてみたときの像高が、上記像高：Ｙ’である。
【００５５】
「ＯＡＬ」は、画像表示素子の表示面から投射用ズームレンズの最も拡大側のレンズ面までの光軸上の距離であり投射用ズームレンズに対して一義的に定まる。
【００５６】
従って、条件（１）は、広角端から望遠端への変倍に際して、第１レンズ群Ｇ１が固定であることが前提である。
【００５７】
「ｆ１」は、第１レンズ群の焦点距離、「ｆ２」は、第２レンズ群の焦点距離を表す。
【００５８】
「Ｄ６」は、第６レンズ群の広角端から望遠端への変倍に際する移動量、「ｆ６」は、第６レンズ群の焦点距離を表す。
【００５９】
「Ｄ３」は、第３レンズ群の広角端から望遠端への変倍に際する移動量、「Ｄ４」は、第４レンズ群の広角端から望遠端への変倍に際する移動量を表す。
【００６０】
条件（１）のパラメータ：ＯＡＬ／Ｙ’は、画像表示素子（ライトバルブ）までのスペースも含めた投射用ズームレンズのコンパクト性を表すものとなっている。
【００６１】
このパラメータが小さいほど、投射用ズームレンズはコンパクトであると言える。
【００６２】
因みに、特許文献１記載の投射用ズームレンズでは、パラメータ：ＯＡＬ／Ｙ’は２４、特許文献２記載の投射用ズームレンズでは１７である。
【００６３】
この発明の投射用ズームレンズでは、条件（１）を満足させることにより、投射用ズームレンズを、特許文献１、２記載のものよりもさらにコンパクト化できる。
【００６４】
条件（２）は、特に非点収差、像面湾曲の良好な補正に有効な条件である。
【００６５】
条件（２）の上限を超える場合は、第１レンズ群の屈折力（１／ｆ１）が絶対値で相対的に小さくなり、像面湾曲が大きくなりやすい。  
条件（２）の下限を超える場合は、第１レンズ群の屈折力が絶対値で相対的に大きくなり、非点隔差が大きくなり易い。
【００６６】
条件（２）を満足することにより、非点収差補正の最適解が得られ、像面湾曲増大も有効に抑制可能となる。
【００６７】
条件（３）は、第６レンズ群の焦点距離と「変倍に際しての移動量」を最適にする条件である。  
即ち、条件（３）を満足しない場合、第６レンズ群の屈折力が強くなるか、第６レンズ群の変倍に際しての移動量が大きくなる。
【００６８】
何れの場合も、特に「変倍時の非点収差とコマ収差」が大きくなる傾向となる。
【００６９】
条件（５）は、バリエータである第３レンズ群とコンペンセータである第４レンズ群の「変倍に際しての移動量」について最適にする条件である。  
条件（５）の上限または下限を超えると、第３レンズ群、または第４レンズ群の「変倍に際しての移動量」が過大となる。
【００７０】
このため、屈折力のバランスが崩れ易く、変倍の際に諸収差が大きく発生し易くなる。
【００７１】
条件（５）を満足することにより、変倍の際にも「最適な収差」を得ることが可能となる。
【００７２】
ズームレンズの具体的な実施例を挙げる前に、図１７を参照して、「画像表示装置」としてのプロジェクタ装置の実施の１形態を簡単に説明する。
【００７３】
図１７に示すプロジェクタ装置１は、ライトバルブ３として、微小ミラーデバイスであるＤＭＤを採用した例である。
【００７４】
プロジェクタ装置１は、照明系２と、ライトバルブであるＤＭＤ３と、投射光学系である投射用ズームレンズ４とを有する。
【００７５】
投射用ズームレンズ４としては、請求項１ないし８の任意の１に記載されたもの、具体的には実施例１ないし８の何れかのものを用いる。
【００７６】
照明系２から「Ｒ（赤）Ｇ（緑）Ｂ（青）３色の光」を、時間的に分離してＤＭＤ３に照射する。
【００７７】
そして、各色の光が照射されるタイミングで、個々の画素に対応するマイクロミラーの傾斜を制御する。
【００７８】
このようにしてＤＭＤ３に「投射されるべき投射用画像」が表示され、該投射用画像により変調された光が、投射光束として投射用ズームレンズ４に入射する。
【００７９】
そして、投射用ズームレンズ４により被投射面であるスクリーン５に「投射用画像の拡大画像」が投射される。
【００８０】
即ち、投射用ズームレンズは、投射用画像を被投射面に投射して拡大表示する。
【００８１】
照明系２は、光源２１、コンデンサーレンズＣＬ、ＲＧＢカラーホイールＣＷ、ミラーＭを備えており、これを配置するスペースを「ある程度大きく確保」する必要がある。
【００８２】
このため、照明系２からＤＭＤ３に入射させる照明光の入射角をある程度大きくする必要がある。  
ズームレンズ４と照明系２のスペースの上記の如き関係上、投射用ズームレンズ４のバックフォーカスを「ある程度確保」する必要がある。
【００８３】
なお、コンデンサーレンズＣＬ、ＲＧＢカラーホイールＣＷとミラーＭとは「照明光学系」を構成する。
【００８４】
実施例１ないし８の投射用ズームレンズでは、広角端から望遠端への変倍に際して、第３レンズ群Ｇ３ないし第６レンズ群Ｇ６が拡大側に移動する。  
従って、変倍中においてもバックフォーカスは十分に大きく確保される。
【実施例】
【００８５】
以下、具体的な実施例を挙げる。
【００８６】
以下に、この発明の投射用ズームレンズの具体的な実施例を８例挙げる。
【００８７】
各実施例における記号の意味は以下の通りである。
【００８８】
Ｆ：光学系全体の焦点距離    
Ｆｎｏ：開口数  
Ｒ：曲率半径（非球面にあっては「近軸曲率半径」）  
Ｄ：面間隔  
Ｎｄ：屈折率  
νｄ：アッベ数  
ＢＦ：バックフォーカス                                  。
【００８９】
非球面は、周知の次式により表される。
【００９０】
Ｘ＝(Ｈ２／Ｒ)／[１＋{１−Ｋ(Ｈ／ｒ)２}１／２］  
＋Ｃ４・Ｈ４＋Ｃ６・Ｈ６＋Ｃ８・Ｈ８＋Ｃ１０・Ｈ１０＋・・・          。
【００９１】
この式において、Ｘは「面頂点を基準としたときの光軸からの高さＨの位置での光軸方向の変位」、Ｋは「円錐係数」、Ｃ４、Ｃ６、Ｃ８、Ｃ１０・・は「非球面係数」である。
【００９２】
実施例１ないし８の何れにおいても、前述の如く、ライトバルブとしてはＤＭＤが想定され、ＤＭＤはカバーガラスＣＧを有する。
【００９３】
また、前述の如く、以下の全ての実施例において、第１レンズ群は「広角端から望遠端への変倍」に際して固定である。
【００９４】
以下において、メニスカスレンズの形状を表現するのに、例えば「拡大側に凸の正メニスカスレンズ」等を「拡大側に凸の正レンズ」と略記する。
【００９５】
「実施例１」
実施例１の投射用ズームレンズは、図１に示したものである。
【００９６】
図１に示すように、第１レンズ群Ｇ１はレンズＬ１１ないしＬ１３で構成され、第２レンズ群Ｇ２はレンズＬ２１ないしＬ２４で構成されている。
【００９７】
第３レンズ群Ｇ３は１枚のレンズＬ３１で構成されている。
【００９８】
第４レンズ群Ｇ４は２枚のレンズＬ４１とＬ４２で構成されている。
【００９９】
第５レンズ群Ｇ５は２枚のレンズＬ５１とＬ５２で構成されている。
【０１００】
第６レンズ群Ｇ６は２枚のレンズＬ６１とＬ６２で構成されている。
【０１０１】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０１０２】
第１レンズ群Ｇ１は負群で、拡大側に凸の負レンズＬ１１、縮小側に凹でレンズ周辺部分が縮小側に変曲されている偏肉比が小さいメニスカスレンズＬ１２、拡大側に凸の負レンズＬ１３で構成されている。
【０１０３】
第２レンズ群Ｇ２は負群で、両凸レンズＬ２１、両凹レンズＬ２２、縮小側に凸の正レンズＬ２３、拡大側に凹の負レンズＬ２４で構成されている。
【０１０４】
レンズＬ２３とレンズＬ２４は接合されている。
【０１０５】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、縮小側に凹の負レンズＬ５１と両凸レンズＬ５２で構成されている。レンズＬ５１とレンズＬ５２は接合されている。
【０１０６】
第６レンズ群Ｇ６は正群で、拡大側に凹の負レンズＬ６１と両凸レンズＬ６２で構成されている。  
なお、実施例１ないし８に関する説明において、「両凸レンズ」は正レンズの１形態であり、「両凹レンズ」は負レンズの１形態である。
【０１０７】
実施例１の、全系の焦点距離：Ｆの範囲、Ｆナンバ、広角端における半画角：ωｗは、以下のとおりである。
【０１０８】
Ｆ＝１３．８〜２６．８ｍｍ、Ｆｎｏ＝２．５５〜３．７８、ωｗ＝４０．４°
実施例１のデータを表１に示す。
【０１０９】
【表１】
2015001610.tif 000003
【０１１０】
表１において、面番号は拡大側から数えた面の番号であり、開口絞りの面（表中の面番号：２０）、カバーガラスＣＧの面（表中の面番号：２８、２９）を含む。
【０１１１】
また、表中における「ＩＮＦ」は、曲率半径が無限大であることを示す。さらに、「＊」は、この記号が付された面が「非球面」であることを示す。
【０１１２】
これらの事項は、実施例２以下の各実施例においても同様である。
【０１１３】
「非球面のデータ」
非球面のデータを表２に示す。
【０１１４】
【表２】
2015001610.tif 000004
【０１１５】
表２の表記において例えば「-7.2540E-22」は「-7.2540×10-22」を表す。以下においても同様である。
【０１１６】
表１において、Ｓ６、Ｓ１３、Ｓ１５、Ｓ２０は、変倍に際して変化するレンズ群間隔を表す。
【０１１７】
投射距離を１７００ｍｍとしたときの、上記レンズ群間隔を、広角端・中間・望遠端について、表３に示す。
【０１１８】
【表３】
2015001610.tif 000005
【０１１９】
「各条件のパラメータの値」
条件（１）ないし（５）のパラメータの値を、表４に示す。
【０１２０】
【表４】
2015001610.tif 000006
【０１２１】
図２に、実施例１の収差図を示す。  
図２の上段は「広角端（広角と表示）」、中段は「中間焦点距離（中間と表示）」、下段は「望遠端（望遠と表示）」の収差を示している。
【０１２２】
各段の収差図において、左側の図は「球面収差」、中央の図は「非点収差」、右側の図は「歪曲収差」である。
【０１２３】
「球面収差」の図におけるＲ、Ｇ、Ｂはそれぞれ、波長：Ｒ＝６２５ｎｍ、Ｇ＝５５０ｎｍ、Ｂ＝４６０ｎｍを表す。  
「非点収差」の図における「Ｔ」はタンジェンシアル、「Ｓ」はサジタルの各光線に対するものであることを示す。
【０１２４】
なお、非点収差および歪曲収差については、波長：５５０ｎｍについて示す。
【０１２５】
収差図におけるこれ等の表示は以下の実施例２〜８の収差図においても同様である。
【０１２６】
「実施例２」
実施例２の投射用ズームレンズは、図３に示したものである。
【０１２７】
図３に示すように、第１レンズ群Ｇ１はレンズＬ１１ないしＬ１３で構成され、第２レンズ群Ｇ２はレンズＬ２１ないしＬ２４で構成されている。
【０１２８】
第３レンズ群Ｇ３は１枚のレンズＬ３１で構成されている。
【０１２９】
第４レンズ群Ｇ４は２枚のレンズＬ４１とＬ４２で構成されている。
【０１３０】
第５レンズ群Ｇ５は２枚のレンズＬ５１とＬ５２で構成されている。
【０１３１】
第６レンズ群Ｇ６は２枚のレンズＬ６１とＬ６２で構成されている。
【０１３２】
広角端から望遠端に変倍する際、第２レンズ群Ｇ２は「縮小側に緩やかなカーブ」を描くように移動し、第３レンズ群Ｇ３ないし第６レンズ群Ｇ６は拡大側に移動する。
【０１３３】
第１レンズ群Ｇ１は負群で、拡大側に凸の負レンズＬ１１、縮小側に凹でレンズ周辺部分が縮小側変曲されている偏肉比が小さいメニスカスレンズＬ１２、拡大側に凸の負レンズＬ１３で構成されている。
【０１３４】
第２レンズ群Ｇ２は負群で、両凸レンズＬ２１、両凹レンズＬ２２、縮小側に凸の正レンズＬ２３、拡大側に凹の負レンズＬ２４で構成されている。
【０１３５】
レンズＬ２３とレンズＬ２４は接合されている。
【０１３６】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、縮小側に凹の負レンズＬ５１と両凸レンズＬ５２で構成されている。レンズＬ５１とレンズＬ５２は接合されている。
【０１３７】
第６レンズ群Ｇ６は正群で、拡大側に凹の負レンズＬ６１と両凸レンズＬ６２で構成されている。  
実施例２の、全系の焦点距離：Ｆの範囲、Ｆナンバ、広角端における半画角：ωｗは、以下のとおりである。
【０１３８】
Ｆ＝１５．４〜３１．４ｍｍ、Ｆｎｏ＝２．５５〜４．１２、ωｗ＝３７．４°
実施例２のデータを表５に示す。
【０１３９】
【表５】
2015001610.tif 000007
【０１４０】
「非球面のデータ」
非球面のデータを表６に示す。
【０１４１】
【表６】
2015001610.tif 000008
【０１４２】
投射距離を２０００ｍｍとしたときの、前記レンズ群間隔を、広角端・中間・望遠端について、表７に示す。
【０１４３】
【表７】
2015001610.tif 000009
【０１４４】
「各条件のパラメータの値」
条件（１）ないし（５）のパラメータの値を、表８に示す。
【０１４５】
【表８】
2015001610.tif 000010
【０１４６】
図４に、実施例２の収差図を図２に倣って示す。
【０１４７】
「実施例３」
実施例３の投射用ズームレンズは、図５に示したものである。
【０１４８】
図５に示すように、第１レンズ群Ｇ１はレンズＬ１１とＬ１２で構成され、第２レンズ群Ｇ２はレンズＬ２１ないしＬ２４で構成されている。
【０１４９】
第３レンズ群Ｇ３は１枚のレンズＬ３１で構成されている。
【０１５０】
第４レンズ群Ｇ４は２枚のレンズＬ４１とＬ４２で構成されている。
【０１５１】
第５レンズ群Ｇ５は２枚のレンズＬ５１とＬ５２で構成されている。
【０１５２】
第６レンズ群Ｇ６は２枚のレンズＬ６１とＬ６２で構成されている。
【０１５３】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０１５４】
第１レンズ群Ｇ１は負群で、拡大側に凸の負レンズＬ１１、縮小側に凹でレンズ周辺部分が縮小側に変曲されている偏肉比が小さいメニスカスレンズＬ１２で構成されている。
【０１５５】
第２レンズ群Ｇ２は負群で、両凸レンズＬ２１、両凹レンズＬ２２、縮小側に凸の正レンズＬ２３、拡大側に凹の負レンズＬ２４で構成されている。
【０１５６】
レンズＬ２３とレンズＬ２４は接合されている。
【０１５７】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、縮小側に凹の負レンズＬ５１と両凸レンズＬ５２で構成されている。レンズＬ５１とレンズＬ５２は接合されている。
【０１５８】
第６レンズ群Ｇ６は正群で、拡大側に凹の負レンズＬ６１と両凸レンズＬ６２で構成されている。  
実施例３の、全系の焦点距離：Ｆの範囲、Ｆナンバ、広角端における半画角：ωｗは、以下のとおりである。
【０１５９】
Ｆ＝１６．２〜３１．４ｍｍ、Ｆｎｏ＝２．５５〜４．１２、ωｗ＝３６．０°
実施例３のデータを表９に示す。
【０１６０】
【表９】
2015001610.tif 000011
【０１６１】
「非球面のデータ」
非球面のデータを表１０に示す。
【０１６２】
【表１０】
2015001610.tif 000012
【０１６３】
投射距離を１４００ｍｍとしたときの、前記レンズ群間隔を、広角端・中間・望遠端について、表１１に示す。
【０１６４】
【表１１】
2015001610.tif 000013
【０１６５】
「各条件のパラメータの値」
条件（１）ないし（５）のパラメータの値を、表１２に示す。
【０１６６】
【表１２】
2015001610.tif 000014
【０１６７】
図６に、実施例３の収差図を図２に倣って示す。
【０１６８】
「実施例４」
実施例４の投射用ズームレンズは、図７に示したものである。
【０１６９】
図７に示すように、第１レンズ群Ｇ１はレンズＬ１１ないしＬ１３で構成され、第２レンズ群Ｇ２はレンズＬ２１ないしＬ２４で構成されている。
【０１７０】
第３レンズ群Ｇ３は１枚のレンズＬ３１で構成されている。
【０１７１】
第４レンズ群Ｇ４は２枚のレンズＬ４１とＬ４２で構成されている。
【０１７２】
第５レンズ群Ｇ５は４枚のレンズＬ５１ないしＬ５４で構成されている。
【０１７３】
第６レンズ群Ｇ６は１枚のレンズＬ６１で構成されている。
【０１７４】
前述の如く、ライトバルブとしてはＤＭＤが想定され、ＤＭＤはカバーガラスＣＧを有する。
【０１７５】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０１７６】
第１レンズ群Ｇ１は負群で、拡大側に凸の負レンズＬ１１、縮小側に凹でレンズ周辺部分が縮小側変曲されている偏肉比が小さいメニスカスレンズＬ１２、拡大側に凸の負レンズＬ１３で構成されている。
【０１７７】
第２レンズ群Ｇ２は負群で、両凸レンズＬ２１、両凹レンズＬ２２、縮小側に凸の正レンズＬ２３、拡大側に凹の負レンズＬ２４で構成されている。
【０１７８】
レンズＬ２３とレンズＬ２４は接合されている。
【０１７９】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は正群で、両凹レンズＬ５１、両凸レンズＬ５２、拡大側に凹の負レンズＬ５３、両凸レンズＬ５４で構成されている。  
レンズＬ５１とレンズＬ５２は接合されている。
【０１８０】
第６レンズ群Ｇ６は負群で、拡大側に凹の負レンズＬ６１で構成されている。  
実施例４の、全系の焦点距離：Ｆの範囲、Ｆナンバ、広角端における半画角：ωｗは、以下のとおりである。
【０１８１】
Ｆ＝１２．３〜１３．８ｍｍ、Ｆｎｏ＝２．５６〜４．１８、ωｗ＝４３．７°
実施例４のデータを表１３に示す。
【０１８２】
【表１３】
2015001610.tif 000015
【０１８３】
「非球面のデータ」
非球面のデータを表１４に示す。
【０１８４】
【表１４】
2015001610.tif 000016
【０１８５】
投射距離を１５００ｍｍとしたときの、前記レンズ群間隔を、広角端・中間・望遠端について、表１５に示す。
【０１８６】
【表１５】
2015001610.tif 000017
【０１８７】
「各条件のパラメータの値」
条件（１）ないし（５）のパラメータの値を、表１６に示す。
【０１８８】
【表１６】
2015001610.tif 000018
【０１８９】
図８に、実施例４の収差図を図２に倣って示す。
【０１９０】
「実施例５」
実施例５の投射用ズームレンズは、図９に示したものである。
【０１９１】
図９に示すように、第１レンズ群Ｇ１はレンズＬ１１ないしＬ１３で構成され、第２レンズ群Ｇ２はレンズＬ２１ないしＬ２４で構成されている。
【０１９２】
第３レンズ群Ｇ３は１枚のレンズＬ３１で構成されている。
【０１９３】
第４レンズ群Ｇ４は２枚のレンズＬ４１とＬ４２で構成されている。
【０１９４】
第５レンズ群Ｇ５は４枚のレンズＬ５１ないしＬ５４で構成されている。
【０１９５】
第６レンズ群Ｇ６は１枚のレンズＬ６１で構成されている。
【０１９６】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０１９７】
第１レンズ群Ｇ１は負群で、拡大側に凸の負レンズＬ１１、縮小側に凹でレンズ周辺部分が縮小側変曲されている偏肉比が小さいメニスカスレンズＬ１２、拡大側に凸の負レンズＬ１３で構成されている。
【０１９８】
第２レンズ群Ｇ２は負群で、両凸レンズＬ２１、両凹レンズＬ２２、縮小側に凸の正レンズＬ２３、拡大側に凹の負レンズＬ２４で構成されている。
【０１９９】
レンズＬ２３とレンズＬ２４は接合されている。
【０２００】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は正群で、縮小側に凹の負レンズＬ５１、両凸レンズＬ５２、拡大側に凹の負レンズＬ５３、両凸レンズＬ５４で構成されている。  
レンズＬ５１とレンズＬ５２は接合されている。
【０２０１】
第６レンズ群Ｇ６は負群で、拡大側に凹の負レンズＬ６１で構成されている。
【０２０２】
実施例５の、全系の焦点距離：Ｆの範囲、Ｆナンバ、広角端における半画角：ωｗは、以下のとおりである。
【０２０３】
Ｆ＝１５．８〜３１．８ｍｍ、Ｆｎｏ＝２．５５〜４．１７、ωｗ＝３６．７°
実施例５のデータを表１７に示す。
【０２０４】
【表１７】
2015001610.tif 000019
【０２０５】
「非球面のデータ」
非球面のデータを表１８に示す。
【０２０６】
【表１８】
2015001610.tif 000020
【０２０７】
投射距離を２０００ｍｍとしたときの、前記レンズ群間隔を、広角端・中間・望遠端について、表１９に示す。
【０２０８】
【表１９】
2015001610.tif 000021
【０２０９】
「各条件のパラメータの値」
条件（１）ないし（５）のパラメータの値を、表２０に示す。
【０２１０】
【表２０】
2015001610.tif 000022
【０２１１】
図１０に、実施例５の収差図を図２に倣って示す。
【０２１２】
「実施例６」
実施例６の投射用ズームレンズは、図１１に示したものである。
【０２１３】
図１１に示すように、第１レンズ群Ｇ１はレンズＬ１１ないしＬ１３で構成され、第２レンズ群Ｇ２はレンズＬ２１ないしＬ２４で構成されている。
【０２１４】
第３レンズ群Ｇ３は１枚のレンズＬ３１で構成されている。
【０２１５】
第４レンズ群Ｇ４は２枚のレンズＬ４１とＬ４２で構成されている。
【０２１６】
第５レンズ群Ｇ５は４枚のレンズＬ５１ないしＬ５４で構成されている。
【０２１７】
第６レンズ群Ｇ６は１枚のレンズＬ６１で構成されている。
【０２１８】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０２１９】
第１レンズ群Ｇ１は負群で、拡大側に凸の負レンズＬ１１、縮小側に凹でレンズ周辺部分が縮小側に変曲されている偏肉比が小さいメニスカスレンズＬ１２、拡大側に凸の負レンズＬ１３で構成されている。
【０２２０】
第２レンズ群Ｇ２は負群で、両凸レンズＬ２１、両凹レンズＬ２２、縮小側に凸の正レンズＬ２３、拡大側に凹の負レンズＬ２４で構成されている。
【０２２１】
レンズＬ２３とレンズＬ２４は接合されている。
【０２２２】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、両凹レンズＬ５１、両凸レンズＬ５２、拡大側に凹の負レンズＬ５３、両凸レンズＬ５４で構成されている。  
レンズＬ５１とレンズＬ５２は接合されている。
【０２２３】
第６レンズ群Ｇ６は負群で、拡大側に凹の負レンズＬ６１で構成されている。
【０２２４】
実施例６の、全系の焦点距離：Ｆの範囲、Ｆナンバ、広角端における半画角：ωｗは、以下のとおりである。
【０２２５】
Ｆ＝１４．７〜２２．１ｍｍ、Ｆｎｏ＝２．５５〜３．３４、ωｗ＝３８．５°
実施例６のデータを表２１に示す。
【０２２６】
【表２１】
2015001610.tif 000023
【０２２７】
「非球面のデータ」
非球面のデータを表２２に示す。
【０２２８】
【表２２】
2015001610.tif 000024
【０２２９】
投射距離を１５５０ｍｍとしたときの、前記レンズ群間隔を、広角端・中間・望遠端について、表２３に示す。
【０２３０】
【表２３】
2015001610.tif 000025
【０２３１】
「各条件のパラメータの値」
条件（１）ないし（５）のパラメータの値を、表２４に示す。
【０２３２】
【表２４】
2015001610.tif 000026
【０２３３】
図１２に、実施例６の収差図を図２に倣って示す。
【０２３４】
「実施例７」
実施例７の投射用ズームレンズは、図１３に示したものである。
【０２３５】
図１３に示すように、第１レンズ群Ｇ１はレンズＬ１１ないしＬ１３で構成され、第２レンズ群Ｇ２はレンズＬ２１ないしＬ２４で構成されている。
【０２３６】
第３レンズ群Ｇ３は１枚のレンズＬ３１で構成されている。
【０２３７】
第４レンズ群Ｇ４は２枚のレンズＬ４１とＬ４２で構成されている。
【０２３８】
第５レンズ群Ｇ５は４枚のレンズＬ５１ないしＬ５４で構成されている。
【０２３９】
第６レンズ群Ｇ６は１枚のレンズＬ６１で構成されている。
【０２４０】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０２４１】
第１レンズ群Ｇ１は負群で、拡大側に凸の負レンズＬ１１、縮小側に凹でレンズ周辺部分が縮小側に変曲されている偏肉比が小さいメニスカスレンズＬ１２、拡大側に凸の負レンズＬ１３で構成されている。
【０２４２】
第２レンズ群Ｇ２は負群で、両凸レンズＬ２１、両凹レンズＬ２２、縮小側に凸の正レンズＬ２３、拡大側に凹の負レンズＬ２４で構成されている。
【０２４３】
レンズＬ２３とレンズＬ２４は接合されている。
【０２４４】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、縮小側に凹の負レンズＬ５１、両凸レンズＬ５２、拡大側に凹の負レンズＬ５３、両凸レンズＬ５４で構成されている。  
レンズＬ５１とレンズＬ５２は接合されている。
【０２４５】
第６レンズ群Ｇ６は負群で、拡大側に凹の負レンズＬ６１で構成されている。
【０２４６】
実施例７の、全系の焦点距離：Ｆの範囲、Ｆナンバ、広角端における半画角：ωｗは、以下のとおりである。
【０２４７】
Ｆ＝１３．８〜２６．８ｍｍ、Ｆｎｏ＝２．５５〜４．１８、ωｗ＝４０．４°
実施例７のデータを表２５に示す。
【０２４８】
【表２５】
2015001610.tif 000027
【０２４９】
「非球面のデータ」
非球面のデータを表２６に示す。
【０２５０】
【表２６】
2015001610.tif 000028
【０２５１】
投射距離を１７００ｍｍとしたときの、前記レンズ群間隔を、広角端・中間・望遠端について、表２７に示す。
【０２５２】
【表２７】
2015001610.tif 000029
【０２５３】
「各条件のパラメータの値」
条件（１）ないし（５）のパラメータの値を、表２８に示す。
【０２５４】
【表２８】
2015001610.tif 000030
【０２５５】
図１４に、実施例７の収差図を図２に倣って示す。
「実施例８」
実施例８の投射用ズームレンズは、図１５に示したものである。
【０２５６】
図１５に示すように、第１レンズ群Ｇ１はレンズＬ１１とＬ１２で構成され、第２レンズ群Ｇ２はレンズＬ２１ないしＬ２４で構成されている。
【０２５７】
第３レンズ群Ｇ３は１枚のレンズＬ３１で構成されている。
【０２５８】
第４レンズ群Ｇ４は２枚のレンズＬ４１とＬ４２で構成されている。
【０２５９】
第５レンズ群Ｇ５は４枚のレンズＬ５１ないしＬ５４で構成されている。
【０２６０】
第６レンズ群Ｇ６は１枚のレンズＬ６１で構成されている。
【０２６１】
広角端から望遠端に変倍する際、第２レンズ群Ｇ２は縮小側に緩やかなカーブを描くように移動し、第３レンズ群Ｇ３ないし第６レンズ群Ｇ６は拡大側に移動する。
【０２６２】
第１レンズ群Ｇ１は負群で、拡大側に凸の負レンズＬ１１、縮小側に凹でレンズ周辺部分が縮小側に変曲されている偏肉比が小さいメニスカスレンズＬ１２で構成されている。
【０２６３】
第２レンズ群Ｇ２は負群で、縮小側に凸の正レンズＬ２１、拡大側に凸の負レンズＬ２２、縮小側に凸の正レンズＬ２３、拡大側に凹の負レンズＬ２４で構成されている。
【０２６４】
レンズＬ２３とレンズＬ２４は接合されている。
【０２６５】
第３レンズ群Ｇ３は正群で、１枚の正レンズＬ３１で構成されている。  
第４レンズ群Ｇ４は正群で、２枚の正レンズＬ４１とＬ４２で構成されている。  
第５レンズ群Ｇ５は負群で、縮小側に凹の負レンズＬ５１、両凸レンズＬ５２、拡大側に凹の負レンズＬ５３、両凸レンズＬ５４で構成されている。  
レンズＬ５１とレンズＬ５２は接合されている。
【０２６６】
第６レンズ群Ｇ６は負群で、拡大側に凹の負レンズＬ６１で構成されている。
【０２６７】
実施例８の、全系の焦点距離：Ｆの範囲、Ｆナンバ、広角端における半画角：ωｗは、以下のとおりである。
【０２６８】
Ｆ＝１３．８〜２６．８ｍｍ、Ｆｎｏ＝２．５５〜４．１８、ωｗ＝４０．５°
実施例８のデータを表２９に示す。
【０２６９】
【表２９】
2015001610.tif 000031
【０２７０】
「非球面のデータ」
非球面のデータを表３０に示す。
【０２７１】
【表３０】
2015001610.tif 000032
【０２７２】
投射距離を１７００ｍｍとしたときの、前記レンズ群間隔を、広角端・中間・望遠端について、表３１に示す。
【０２７３】
【表３１】
2015001610.tif 000033
【０２７４】
「各条件のパラメータの値」
条件（１）ないし（５）のパラメータの値を、表３２に示す。
【０２７５】
【表３２】
2015001610.tif 000034
【０２７６】
図１６に、実施例８の収差図を図２に倣って示す。
【０２７７】
各収差図に示すように、各実施例の投射用ズームレンズとも、諸収差は高レベルで補正され、球面収差、非点収差、像面湾曲、倍率色収差、歪曲収差も十分に補正されている。
【０２７８】
また、各実施例の投射用ズームレンズとも「変倍比は１．９倍以上」である。
【０２７９】
上に挙げた各実施例について、若干付言する。
【０２８０】
実施例１ないし８に示されたように、第１レンズ群Ｇ１は、２または３枚のレンズで構成されている。
【０２８１】
第１レンズ群は、レンズ径の大きいレンズが用いられるが、実施例のように、第１レンズ群の構成を２枚または３枚とすることで、第１レンズ群を軽量化できる。
【０２８２】
この軽量化により、自重によるレンズの偏心を抑えることができる。  
また、実施例１ないし８において、第１レンズ群Ｇ１には「非点収差と歪曲収差の補正効果」を持たせている。
【０２８３】
実施例１ないし８においてはまた、第１レンズ群Ｇ１の「最も拡大側の面を、拡大側に凸面形状、最も縮小側の面は凹面形状」としている。
【０２８４】
このようにすることにより、変倍時における「像面湾曲と歪曲収差の変動を低減」させる効果を得ることができている。
【０２８５】
実施例１ないし８の投射用ズームレンズは何れも、広角端から望遠端への変倍の際、第１レンズ群Ｇ１は固定である。
【０２８６】
そして、第２レンズ群Ｇ２は縮小側に移動し、第３レンズ群Ｇ３から第６レンズ群Ｇ６は拡大側に移動する。
【０２８７】
各実施例の投射用ズームレンズにおいて、第１レンズ群Ｇ１はフォーカス群、第２レンズ群Ｇ２がコンペンセータ（収差補正群）となっている。
【０２８８】
また、第３レンズ群Ｇ３、第４レンズ群Ｇ４が変倍群となっている。
【符号の説明】
【０２８９】
Ｇ１        第１レンズ群  
Ｇ２        第２レンズ群  
Ｇ３        第３レンズ群  
Ｇ４        第４レンズ群  
Ｇ５        第５レンズ群  
Ｇ６        第６レンズ群  
【先行技術文献】
【特許文献】
【０２９０】
【特許文献１】特開２０１１−１０７２００号公報
【特許文献２】特許第４９７２７６３号公報
【図１】
2015001610.tif 000035
【図２】
2015001610.tif 000036
【図３】
2015001610.tif 000037
【図４】
2015001610.tif 000038
【図５】
2015001610.tif 000039
【図６】
2015001610.tif 000040
【図７】
2015001610.tif 000041
【図８】
2015001610.tif 000042
【図９】
2015001610.tif 000043
【図１０】
2015001610.tif 000044
【図１１】
2015001610.tif 000045
【図１２】
2015001610.tif 000046
【図１３】
2015001610.tif 000047
【図１４】
2015001610.tif 000048
【図１５】
2015001610.tif 000049
【図１６】
2015001610.tif 000050
【図１７】
2015001610.tif 000051